【事件の表示】
　特願２００１−３１５５９５「人感式負荷制御システムのセンサコントローラ」拒絶査定不服審判事件〔平成１５年　４月２５日出願公開，特開２００３−１２３１５６〕について，次のとおり審決する。
【結　論】
　本件審判の請求は，成り立たない。
【理　由】
１．手続の経緯 
 　本願は，平成１３年１０月１２日の特許出願であって，平成１９年１２月１０日付けで拒絶査定がなされ，これに対し，平成２０年１月１７日に拒絶査定に対する審判請求がなされるとともに，同年２月１８日付けで手続補正がなされたものである。
　
　
２．平成２０年２月１８日付けの手続補正書による補正（以下「本件補正」という。）についての補正却下の決定
［補正却下の決定の結論］
　本件補正を却下する。
　
［理由］
（１）補正後の本願発明
　本件補正により，特許請求の範囲の請求項１は，
 「複数個の人感センサによる検知情報が各別に入力される複数個のセンサ入力部と，複数の負荷回路の制御状態を負荷回路ごとに指示する負荷制御部と，センサ入力部に入力された検知情報の組合せを負荷回路の制御状態に対応付けること
で任
この負荷回路よりも少ない台数の人感センサとを共通の負荷回路を複数の人感センサに対応させるように
と補正された。
　上記補正は，請求項１に記載した発明を特定するために必要な事項である「制御テーブル」について，負荷回路と人感センサの対応付けを「任意個数の人感センサと任意個数の負荷回路とを対応付けた」から「任意個数の負荷回路とこの負荷回路よりも少ない台数の人感センサとを共通の負荷回路を複数の人感センサに対応させるように対応付けた」に限定するものであって，平成１４年法律第２４号改正附則第２条第１項によりなお従前の例によるとされる同法による改正前の特許法第１７条の２第４項第２号の特許請求の範囲の減縮を目的とするものに該当する。
　そこで，本件補正後の前記請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）引用例
　原査定の拒絶の理由に引用されたた特開平８−３３１６６５９号公報（以下「引用例」という。）には，図面とともに次の事項が記載されている。
　
・「【請求項１】    温度等環境の変化を検知する複数のセンサと，複数の負荷に対応して設けられそれぞれの通電を制御する電源制御手段と，センサの所定の検知信号が入力されたときに制御すべき負荷を判別して特定の電源制御手段を制御するコントローラと，よりなるものであって，
このコントローラを，センサの検知信号が入力される入力手段と，センサと負荷との対応関係を設定記憶する対応関係設定記憶手段と，各センサ毎の作動基準値を設定記憶する基準値設定記憶手段と，入力手段からの検知信号と基準値設定記憶手段の作動基準値を順次センサ毎に比較して検知信号が作動基準値に達するとセンサ特定信号を含む作動信号を出力する比較手段と，該比較手段からセンサ特定信号を含む作動信号が入力されたとき対応関係設定記憶手段から対応する負荷を判別して特定の電源制御手段に出力信号を出力する出力手段と，を有するよう構成したことを特徴とする負荷制御システム。」
　
・「【０００３】
【発明が解決しようとする課題】前述した負荷制御システムは，コントローラでセンサ及び負荷を集中監視及び制御しているため，信頼性の高いものである。しかしながら，コントーラによるセンサ及び負荷の識別，あるいはセンサと負荷との対応関係の設定には，アドレスデータを入力する必要があり，その作業は，センサや負荷の数が多くなってくると面倒であるとともに，設定結果がわかりにくいことがある。
【０００４】本発明は，かかる事由に鑑みてなしたもので，その目的とするところは，複数のセンサ及び負荷の設定が容易な負荷制御システムを提供することである。」
　
・「【００１１】
【実施例】以下，本発明の一実施例を図１乃至図７に基づいて説明する。図１は本発明の負荷制御システムのブロック図で，センサ1,1 …と，電源制御手段19,19 …と，コントローラ2 とを主要構成部材としている。
【００１２】センサ1,1 …は，温度の変化や人体の存在等の環境の変化を検知して，それに応じた検知信号を出力するもので，図４に示すような，温度センサ，炎センサ，けむりセンサ，人感センサ，湿度センサ，臭いセンサ等の種類のものから形成される。　・・・(中略）・・・　これらのセンサ1,1 …は，後述する入力手段3 に信号線（図示せず）でもって接続され，検知信号を入力手段3 に送信する。また，図３は，センサ1,1 …と後述する負荷20,20 …の配置の一例を示す食堂Ａの平面図で，センサ1,1 …は，その食堂Ａの天井等に設置される。なお，図２において，Ｂはキッチン，Ｃは流し台，Ｄはトイレ，Ｅ，Ｅ…はテーブルや椅子等である。また，20,20…は換気扇，エアコン，照明等の負荷で，後述する電源制御手段19,19 …によりその通電が制御されて動作する。
【００１３】電源制御手段19,19 …は，後述する出力手段18の出力信号に基づいて負荷20,20 …への通電を制御するもので，各負荷20に対して１個ずつ設けられ，出力手段18と信号線（図示せず）でもって接続される。この電源制御手段19,19 …は，負荷20と商用電源の間の電路に設けられて，出力手段18の出力信号が入力された場合は，電路を接続し，出力信号の入力が停止した場合は，電路を遮断する。
【００１４】コントローラ2 は，センサ1,1 …の所定の検知信号が入力されたときに制御すべき負荷20,20 …を判別して特定の電源制御手段19,19 …を制御するもので，入力手段3 と，対応関係設定記憶手段4 と，基準値設定記憶手段16と，比較手段17と，出力手段18とを主要構成部材としており，主にマイクロコンピュータで形成される。」
　
・「【００１５】入力手段3 は，センサ1,1 …の検知信号が入力されるとともに，対応関係設定記憶手段4 ，基準値設定記憶手段16，及び比較手段17に信号を出力するもので，各種の検知信号が流れる多数の信号線が接続できるよう，センサ1,1 …の種類ごとに分類された複数のコネクタを有したインターフェースボード等より形成される。」
　
・「【００１６】対応関係設定記憶手段4 は，センサ1,1 …と負荷20,20 …との対応関係，すなわち，どのセンサ1 の検知信号に連動してどの負荷20が動作するかを設定及び記憶するもので，図２に示すように，判別器5 と記憶器6 と表示器10と操作器14と設定器15とを有する。
【００１７】判別器5 は，入力手段3 に接続されているセンサ1,1 …の種類と数，及び後述する出力手段18に電源制御手段19,19 …を介して接続されている負荷20,20 …の種類と数を判別するもので，入力手段3 よりの信号及び後述する出力手段18よりの信号に基づき判別する。具体的には，センサ1,1 …が接続されている入力手段3 のコネクタの種類や数を導通チェックすることにより，センサ1,1 …の種類と数を判別する。また，負荷20,20 …の数は，出力手段18に接続されている電流制御手段19,19 …の数を同じく導通チェックにより判別し，その種類については例えば，後述するタッチパネル13を操作して種類を入力することで判別する。この判別したセンサ1,1 …及び負荷20,20 …の種類と数は，後述する記憶器6 に送信されて記憶される。
【００１８】記憶器6 は，ＲＡＭ等で形成されて各種の情報を記憶するもので，センサ記憶部7,7 …と負荷記憶部8,8 …と設定記憶部9 とを有する。センサ記憶部7,7 …は，センサ1,1 …の種類及び数等を記憶するもので，センサ1,1 …の数だけ存在する。負荷記憶部8,8 …は，負荷20,20 …の種類及び数等を記憶するもので，負荷20,20 …の数だけ存在する。このセンサ記憶部7,7 …と負荷記憶部8,8 …に記憶された情報は，表示器10，基準値設定記憶手段16，比較手段17に必要に応じて送信される。設定記憶部9 は，後述する設定器15で設定された結果を記憶するもので，この記憶された情報は，出力手段18に必要に応じて送信される。」
　
・「【００２０】操作器14は，センサ1,1 …と負荷20,20 …との対応関係を設定器15で設定するための記憶指示解除信号を出力するもので，表示器10でもあるタッチパネル13の「１．温度センサ」「２．炎センサ」「３．けむりセンサ」等の文字を指等で触れることにより，そのセンサ1 に関する記憶指示解除信号が設定器15に出力される。
【００２１】設定器15は，操作器14よりの記憶指示解除信号に基づき，各センサ1 の検知信号に連動して動作する対応関係にある負荷20を設定するもので，その設定結果は，記憶器6 の設定記憶部9 に送信して記憶する。」
　
・「【００２２】また，タッチパネル13において，13a はページ送り記号で，このページ送り記号13a を指等で触れることにより，表示器4 は，負荷表示部12で表示されている負荷20とは異なる負荷20を，記憶器6 より読み出して負荷表示部12に表示する。その結果，その表示されている負荷20に対するセンサ1,1 …の対応関係の設定が可能となる。図５は，センサ1,1 …と負荷20との対応関係の一例を示すものであり，例えば１番から３番のセンサ1,1,1 は，２番と３番の負荷20,20 に対応し，１番から６番のセンサ1,1 …は，５番から７番の負荷20,20 …に対応する。また，表示器4 のセンサ表示部10は，負荷20と対応関係にあるセンサ1,1 …の表示の色が，対応関係にないセンサ1,1 …の表示の色と異なるようなっており，見分けがつきやすくなっている。」
　
・「【００２４】比較手段17は，入力手段3 に入力されたセンサ1,1 …の検知信号が，基準値設定記憶手段16で設定記憶した作動基準値に達するかどうかを検出するもので，各センサ1 毎に順番に検知信号を入力し，検知信号と作動基準値を比較し，検知信号が作動基準値に達すると，その検知信号を出力したセンサ1 を特定できるセンサ特定信号を含む作動信号を出力手段18に出力する。」
　
・「【００２５】出力手段18は，比較手段17の作動信号に基づき，対応関係設定記憶手段4 の記憶器6 より検知信号を出力したセンサ1 と対応関係にある負荷20を判別し，その負荷20に接続される電源制御手段19に出力信号を出力する。」
　
・「【００２６】次に，この負荷制御システムの動作について，図７のフローチャートに基づいて説明する。まず，センサ1,1 …を，各センサの種類に応じて部屋の天井等の検知したい場所に設置し，コントローラ2 の入力手段3 とそれぞれ信号線で接続する。また，各場所に設置されている負荷20,20 …において，それと商用電源との間の電路にそれぞれ電源制御手段19,19 …を設け，各電源制御手段19,19 …を出力手段18と信号線で接続する。
【００２７】この状態において，対応関係設定記憶手段4 は，センサ1,1 …と負荷20,20 …との対応関係を設定記憶する。まず，対応関係設定記憶手段4 の判別器5 は，どのようなセンサ1,1 …及び負荷20,20 …が接続されているかを入力手段2 及び出力手段9 の信号で判別し，判別した結果を，記憶器6 のセンサ記憶部7,7 …と負荷記憶部8,8 …に記憶する。タッチパネル13の表示器10は，記憶器6 より情報を得て，負荷表示部12にある１個の負荷20を，センサ表示部11に入力手段3 に接続されている全てのセンサ1,1 …の種類を表示する。次に，操作器14において，負荷表示部12に表示される負荷20と対応関係を設定したいセンサ1,1 …の名称を，指等で触れることにより，そのセンサ1 の記憶指示解除信号が設定器15に送信され，設定器15は，センサ1,1 …と負荷20,20 …の対応関係，すなわち，どのセンサ1 の検知信号でどの負荷20が動作するかを設定し，記憶器6 の設定記憶部9 に送信して記憶する。この作業を繰り返して，負荷表示部12に表示される負荷20に対応関係を設定したいセンサ1,1 …を全て選択し，１個の負荷20の設定が終了すると，ページ送り記号13a に触れて他の負荷20を負荷表示部12に表示し，その負荷20の対応関係の設定を行い，記憶器6 の設定記憶部9 に送信して記憶する。
【００２８】また，基準値設定記憶手段16で，各センサ1,1 …の検知信号の作動基準値を設定する。これも，タッチパネル13を操作することにより設定できる。この作動基準値設定記憶手段7 での設定が終了すれば，初期設定は完了する。
【００２９】初期設定が完了すると，比較手段17は，入力手段3 で入力したセンサ1,1 …の検知信号を順次入力して，基準値設定記憶手段16で設定した作動基準値と比較し，検知信号が作動基準値に達したときには，そのセンサ1 のセンサ特定信号を含む作動信号を出力手段18に送信する。出力手段18は，その作動信号に基づいて作動基準値に達した検知信号を出力したセンサ1 に対応する負荷20に接続されている電源制御手段19を，対応関係設定記憶手段4 の記憶器6 の設定記憶部9 の情報より判別して，その電源制御手段19に出力信号を送る。電源制御手段19は，その出力信号に基づき，それに接続されている負荷20の通電を制御する。
【００３０】このものは，タッチパネル13でもってセンサ1,1 …と負荷20,20 …の対応関係や，各センサ1,1 …の検知信号の作動基準値の設定することができることにより設定状態がわかりやすいため，設定が短時間でできるとともに，誤設定が抑制される。」
　
・「【００３２】さらに，センサと負荷は全て対応関係をつける必要はもちろんなく，センサと連動しないで負荷が動作するようにすることも可能である。　・・・」
　
　また，段落【００２２】の記載，図３，図４及び図６によると，４番から６番の人感センサが５番から７番の照明負荷に対応すること，すなわち，共通の負荷を複数の人感センサに対応させるように対応付けた対応関係が示されている。
　
　これらの記載事項及び図示内容を総合すると，引用例には，次の事項からなる発明（以下「引用発明」という。）が記載されていると認めることができる。
「複数の人感センサ1,1 …の検知信号が入力される複数のコネクタと，
　各負荷20,20 …に対して１個ずつ設けられ，負荷20,20 …への通電を制御する電源制御手段19と，
　負荷表示部12に表示される負荷20に対応関係を設定したい人感センサ1,1 …を全て選択し，１個の負荷20の設定が終了すると，他の負荷20を負荷表示部12に表示し，その負荷20の対応関係の設定を行い，設定器15から送信される，人感センサ1,1 …と負荷20,20 …との対応関係であって，共通の負荷を複数の人感センサ1,1 …に対応させるように対応付けた対応関係を記憶した記憶器6 の設定記憶部9 と，
　どのセンサ1 の検知信号でどの負荷20が動作するかを設定する設定器15と，
　各人感センサ1 毎に順番に検知信号を入力し，検知信号と基準値設定記憶手段16で設定記憶した作動基準値を比較し，検知信号が作動基準値に達すると，その検知信号を出力した人感センサ1 を特定できるセンサ特定信号を含む作動信号を出力する比較手段17の作動信号に基づき，作動基準値に達した検知信号を出力した人感センサ1 に対応する負荷20に接続されている電源制御手段19を，記憶器6 の設定記憶部9 の情報より判別して，その電源制御手段19に出力信号を送る出力手段18とを備える負荷制御システムのコントローラ2 。」
　
（３）対比
　本願補正発明と引用発明とを，機能・作用を考慮して対比する。
　
・後者の「検知信号」は前者の「検知情報」に相当し，後者の「複数の人感センサ1,1 …の検知信号が入力される」との態様は前者の「複数個の人感センサによる検知情報が各別に入力される」との態様に相当する。
　また，後者の「複数のコネクタ」は前者の「複数個のセンサ入力部」に相当する。
　
・後者の「各負荷20,20 …に対して１個ずつ設けられ，負荷20,20 …への通電を制御する」との態様は前者の「複数の負荷回路の制御状態を負荷回路ごとに指示する」との態様に相当し，後者の「電源制御手段19」は前者の「負荷制御部」に相当する。
　
・後者の「負荷表示部12に表示される負荷20に対応関係を設定したい人感センサ1,1 …を全て選択し，１個の負荷20の設定が終了すると，他の負荷20を負荷表示部12に表示し，その負荷20の対応関係の設定を行い」については，各負荷20ごとに対応関係を設定したい人感センサ1 を選択するものであるから，任意個数の負荷と任意個数の人感センサとが対応付けられるものといえる。
　そうすると，後者の「負荷表示部12に表示される負荷20に対応関係を設定したい人感センサ1,1 …を全て選択し，１個の負荷20の設定が終了すると，他の負荷20を負荷表示部12に表示し，その負荷20の対応関係の設定を行い，設定器15から送信される，人感センサ1,1 …と負荷20,20 …との対応関係であって，共通の負荷を複数の人感センサ1,1 …に対応させるように対応付けた対応関係」と前者の「センサ入力部に入力された検知情報の組合せを負荷回路の制御状態に対応付けることで任意個数の負荷回路とこの負荷回路よりも少ない台数の人感センサとを共通の負荷回路を複数の人感センサに対応させるように対応付けた制御テーブル」とは，「センサ入力部に入力された検知情報の組合せを負荷回路の制御状態に対応付けることで任意個数の負荷回路と人感センサとを共通の負荷回路を複数の人感センサに対応させるように対応付けた制御テーブル」という概念で共通する。
　また，後者の「記憶した」は前者の「格納した」に相当し，後者の「記憶器6 の設定記憶部9 」は前者の「記憶部」に相当する。
　
・後者の「どのセンサ1 の検知信号でどの負荷20が動作するかを設定する」との態様と前者の「制御テーブルの内容を設定・修正する」との態様とは，「制御テーブルの内容を設定する」との概念で共通する。
　また，後者の「設定器15」は前者の「設定部」に相当する。
　
・後者の「各人感センサ1 毎に順番に検知信号を入力し，検知信号と基準値設定記憶手段16で設定記憶した作動基準値を比較し，検知信号が作動基準値に達すると，その検知信号を出力した人感センサ1 を特定できるセンサ特定信号を含む作動信号を出力する比較手段17の作動信号に基づき，作動基準値に達した検知信号を出力した人感センサ1 に対応する負荷20に接続されている電源制御手段19を，記憶器6 の設定記憶部9 の情報より判別して，その電源制御手段19に出力信号を送る」との態様は前者の「各センサ入力部に入力された検知情報を記憶部に格納された制御テーブルに照合することにより負荷制御部による各負荷回路の制御状態を決定する」との態様に相当する。
　また，後者の「出力手段18」は前者の「演算処理部」に相当する。
　
・後者の「負荷制御システムのコントローラ2 」は前者の「人感式負荷制御システムのセンサコントローラ」に相当する。
　
　したがって，両者は，
「複数個の人感センサによる検知情報が各別に入力される複数個のセンサ入力部と，複数の負荷回路の制御状態を負荷回路ごとに指示する負荷制御部と，センサ入力部に入力された検知情報の組合せを負荷回路の制御状態に対応付けることで任意個数の負荷回路と人感センサとを共通の負荷回路を複数の人感センサに対応させるように対応付けた制御テーブルを格納した記憶部と，制御テーブルの内容を設定する設定部と，各センサ入力部に入力された検知情報を記憶部に格納された制御テーブルに照合することにより負荷制御部による各負荷回路の制御状態を決定する演算処理部とを備える人感式負荷制御システムのセンサコントローラ。」
の点で一致し，以下の点で相違している。
　
［相違点１］
　任意個数の負荷と対応付けられる人感センサに関し，本願補正発明では，任意個数の負荷回路と「この負荷回路よりも少ない台数」の人感センサとを対応付けたのに対し，引用発明では，任意個数の負荷回路と任意個数の人感センサとを対応付けた点。
　
［相違点２］
　設定部に関し，本願補正発明では，制御テーブルの内容を「設定・修正」するものであるのに対して，引用発明では，「設定」するものである点。
　
（４）判断
　上記相違点について検討する。
［相違点１について］
　複数の負荷とこの負荷よりも少ない数の人感センサとを対応付けることは，本願出願前に周知の技術（以下，「周知技術１」という。）であり，引用発明と周知技術１とは，人感式負荷制御システムという共通の技術分野に属し，しかも，引用発明に上記周知技術１を適用するにあたって，その適用を妨げるような格別の事情を認めることはできないことから，引用発明において，上記周知技術を適用し，上記相違点１に係る本願補正発明の構成とすることは，当業者が容易に想到し得たことである。
　上記周知技術１は，例えば，特開平９−２７２０５号公報（特に，段落【００１１】〜【００１２】，段落【００１５】及び図５を参照。）及び特開平７−１２２３７０号公報（特に，段落【００１２】〜【００１３】，図１及び図２を参照。）等に開示されている。
　
［相違点２について］
　設定器において，誤った設定がなされたり，設定内容の変更が要求された場合に設定内容の修正を行うことは，文献を示すまでもなく，本願出願前に周知の技術（以下，「周知技術２」という。）であり，引用発明においても，誤った設定がなされたり，設定内容の変更が要求された場合に対応することは必要に応じて考慮すべき課題といえるから，当該課題の下に，上記周知技術２を引用発明の設定器15（本願補正発明の「設定部」に相当。）に適用し，上記相違点２に係る本願補正発明の構成とすることは当業者が容易に想到し得たことである。
　
　そして，本願補正発明の全体構成により奏される作用効果は，引用発明，上記周知技術１及び上記周知技術２から当業者が予測し得る範囲内のものである。
　したがって，本願補正発明は，引用発明，上記周知技術１及び上記周知技術２に基づいて，当業者が容易に発明をすることができたものであるから，特許法第２９条第２項の規定により特許出願の際独立して特許を受けることができないものである。
　
（５）むすび
　以上のとおり，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項の規定において読み替えて準用する同法第５３条第１項の規定により却下すべきものである。
　
　
３．本願発明について
　本件補正は上記のとおり却下されたので，本願の請求項１に係る発明（以下，同項記載の発明を「本願発明」という。）は，平成１９年８月２０日付け手続補正書の特許請求の範囲の請求項１に記載された事項により特定される，以下のとおりのものである。
「複数個の人感センサによる検知情報が各別に入力される複数個のセンサ入力部と，複数の負荷回路の制御状態を負荷回路ごとに指示する負荷制御部と，センサ入力部に入力された検知情報の組合せを負荷回路の制御状態に対応付けることで任意個数の人感センサと任意個数の負荷回路とを対応付けた制御テーブルを格納した記憶部と，制御テーブルの内容を設定・修正する設定部と，各センサ入力部に入力された検知情報を記憶部に格納された制御テーブルに照合することにより負荷制御部による各負荷回路の制御状態を決定する演算処理部とを備えることを特徴とする人感式負荷制御システムのセンサコントローラ。
」
　
（１）引用例
　原査定の拒絶の理由に引用された引用例及びその記載事項は，前記「２．（２）」に記載したとおりである。
　
（２）対比・判断
　本願発明は，前記「２．（１）」で検討した本願補正発明の「制御テーブル」について「任意個数の負荷回路とこの負荷回路よりも少ない台数の人感センサとを共通の負荷回路を複数の人感センサに対応させるように対応付けた」との限定を「任意個数の人感センサと任意個数の負荷回路とを対応付けた」と上位概念化したものである。
　そうすると，本願発明と引用発明とを対比した場合の相違点は，上記「２．（３）」で挙げた相違点２となるから，上記「２．（４）」における検討内容を踏まえれば，本願発明は引用発明び上記周知技術２に基づいて当業者が容易に発明をすることができたものである。
　
（３）むすび
　以上のとおり，本願発明は，引用発明及び上記周知技術２に基づいて，当業者が容易に発明をすることができたものであるから，特許法第２９条第２項の規定により特許を受けることができない。
　よって，結論のとおり審決する。